(57)【特許請求の範囲】
【請求項１】
遊技球が流下する幹流路が第１枝流路と第２枝流路との二股に分岐し、その分岐位置に設けられた振分部材が、前記第１枝流路を開放しかつ前記第２枝流路を閉塞する第１位置と、前記第２枝流路を開放しかつ前記第１枝流路を閉塞する第２位置との間で回動して、前記幹流路を流下してきた遊技球を前記第１枝流路又は前記第２枝流路に振り分ける遊技機において、
前記幹流路、前記第１枝流路及び前記第２枝流路に亘って連続する平坦な共通流下面に受容孔が形成され、
前記振分部材は、前記受容孔に受容されかつ前記共通流下面と略面一の端面を有する回動ベースと、前記回動ベースの前記端面のうち前記振分部材の回動軸から離れた位置から突出しかつ前記回動軸側を向いた面が案内面になった振分突片とを備え、前記第１位置と前記第２位置とで共通する前記案内面で遊技球を前記第１枝流路或いは前記第２枝流路の何れか一方に案内可能に回動する遊技機。
【請求項２】
前記幹流路の少なくとも下端部と、前記第１枝流路及び前記第２枝流路の少なくとも上端部とは、遊技球が１つずつ通過可能な幅になっていることを特徴とする請求項１に記載の遊技機。
【請求項３】
前記幹流路の下端部から前記第２枝流路の上端部に向かう屈曲角より、前記幹流路の下端部から前記第１枝流路の上端部に向かう屈曲角の方がなだらかであることを特徴とする請求項１又は２に記載の遊技機。
【請求項４】
可動扉にて開閉されかつ通常は閉じられている特別入賞口と、
予め定められた開放条件が成立すると、前記可動扉を開放して前記特別入賞口に遊技球を入賞可能とする小当り遊技を行う小当り遊技実行手段とが備えられ、
前記幹流路の上端部が前記特別入賞口をなし、
前記小当り遊技実行手段は、前記可動扉が開いる間に、予め定められたタイムチャートに基づいて前記振分部材を前記第１位置と前記第２位置とに切り替え、前記第２枝流路に遊技球が入賞したことに起因して遊技者に有利な大当り遊技を実行することを特徴とする請求項１乃至３の何れか１の請求項に記載の遊技機。
【請求項５】
可動扉にて開閉されかつ通常は閉じられている特別入賞口と、
予め定められた大当り遊技実行条件が成立すると、前記可動扉を所定ラウンド開放して前記特別入賞口に遊技球を入賞可能とする大当り遊技を行う大当り遊技実行手段とが備えられ、
前記幹流路の上端部が前記特別入賞口をなし、
前記大当り遊技実行手段は、前記可動扉が開いる間に前記振分部材を前記第１位置と前記第２位置とに切り替え、前記第２枝流路に遊技球が入賞したことに起因して前記大当り遊技終了後の遊技状態を通常の遊技状態よりも遊技者に有利な特典遊技状態に変更することを特徴とする請求項１乃至３の何れか１の請求項に記載の遊技機。
【発明の詳細な説明】
【技術分野】
【０００１】
本発明は、遊技球が流下する幹流路が第１枝流路と第２枝流路との二股に分岐し、その分岐位置に設けた振分部材により、幹流路を流下してきた遊技球を第１枝流路又は第２枝流路に振り分ける遊技機に関する。
【背景技術】
【０００２】
従来、この種の遊技機として、第１枝流路と第２枝流路との境界部分から上方に延びたレバー構造の振分部材が下端部を中心に回動して、第２枝流路を閉じかつ第１枝流路を開いた第１位置と、第１枝流路を閉じかつ第２枝流路を開いた第２位置との間を移動するものが知られている（例えば、特許文献１参照）。
【先行技術文献】
【特許文献】
【０００３】
【特許文献１】特開２０１４−１６６４６７号公報（図４）
【発明の概要】
【発明が解決しようとする課題】
【０００４】
しかしながら、上記した従来の遊技機では、遊技球の自重又は流下圧力に抗する方向に振分部材を移動させなければならない状況が生じ、振分部材を安定して迅速に動作させることができなかった。また、振分部材の上流側近傍に遊技球を検出する検出スイッチを備えた場合に、振分部材が第１位置と第２位置との中間位置で幹流路に向かって起立した状態で、その振分部材の先端に遊技球が衝突して跳ね返り、検出スイッチで誤って再検出される事態が生じ得た。
【０００５】
本発明は、上記事情に鑑みてなされたもので、遊技球の流下方向を切り替える振分部材を安定して迅速に動作させることができると共に、検出スイッチによる誤検出を防ぐことが可能な遊技機の提供を目的とする。
【課題を解決するための手段】
【０００６】
上記目的を達成するためになされた請求項１の発明は、遊技球が流下する幹流路が第１枝流路と第２枝流路との二股に分岐し、その分岐位置に設けられた振分部材が、前記第１枝流路を開放しかつ前記第２枝流路を閉塞する第１位置と、前記第２枝流路を開放しかつ前記第１枝流路を閉塞する第２位置との間で回動して、前記幹流路を流下してきた遊技球を前記第１枝流路又は前記第２枝流路に振り分ける遊技機において、前記幹流路、前記第１枝流路及び前記第２枝流路に亘って連続する平坦な共通流下面に受容孔が形成され、前記振分部材は、前記受容孔に受容されかつ前記共通流下面と略面一の端面を有する回動ベースと、前記回動ベースの前記端面のうち前記振分部材の回動軸から離れた位置から突出しかつ前記回動軸側を向いた面が案内面になった振分突片とを備え、前記第１位置と前記第２位置とで共通する前記案内面で遊技球を前記第１枝流路或いは前記第２枝流路の何れか一方に案内可能に回動する遊技機である。
【０００７】
この構成によれば、幹流路を流下する遊技球の自重及び流下圧力の方向と直交又は交差する方向に振分部材の案内面が移動することになり、従来のように、遊技球の自重又は流下圧力に抗する方向に振分部材の案内面を移動させなければならない状況が生じ難い。これにより、振分部材を安定して迅速に動作させることができる。また、従来のように振分部材が幹流路に向かって起立することがないので、振分部材の上流側近傍に検出スイッチを備えても、従来のように振分部材で跳ね返った遊技球が検出スイッチで誤って再度検出されることを抑制することが可能となる。
【０００９】
また、この構成によれば、回動ベースにて、遊技球の流下を妨げずに、振分突片（案内面）を支持することが可能となる。
【００１２】
請求項２の発明は、前記幹流路の少なくとも下端部と、前記第１枝流路及び前記第２枝流路の少なくとも上端部とは、遊技球が１つずつ通過可能な幅になっていることを特徴とする請求項１に記載の遊技機である。
【００１３】
この構成によれば、第１枝流路と第２枝流路との分岐位置における球詰まりを抑制することが可能となる。
【００１６】
請求項３の発明は、前記幹流路の下端部から前記第２枝流路の上端部に向かう屈曲角より、前記幹流路の下端部から前記第１枝流路の上端部に向かう屈曲角の方がなだらかであることを特徴とする請求項１又は２に記載の遊技機である。
【００１７】
この構成によっても、幹流路から流下する遊技球によって振分部材が受ける負荷は、第１枝流路を開いたときの方が、第２枝流路を開いたときより小さくなり、第１枝流路と第２枝流路とのうちより多くの遊技球が第１枝流路に流入する場合、振分部材の耐久性が向上する。
【００１８】
請求項４の発明は、可動扉にて開閉されかつ通常は閉じられている特別入賞口と、予め定められた開放条件が成立すると、前記可動扉を開放して前記特別入賞口に遊技球を入賞可能とする小当り遊技を行う小当り遊技実行手段とが備えられ、前記幹流路の上端部が前記特別入賞口をなし、前記小当り遊技実行手段は、前記可動扉が開いる間に、予め定められたタイムチャートに基づいて前記振分部材を前記第１位置と前記第２位置とに切り替え、前記第２枝流路に遊技球が入賞したことに起因して遊技者に有利な大当り遊技を実行することを特徴とする請求項１乃至３の何れか１の請求項に記載の遊技機である。
【００１９】
この構成によれば、タイムチャートによって第１位置と第２位置とに切り替えられる振分部材により、特別入賞口に入賞した遊技球が、第１枝流路と第２枝流路にランダムに振り分けられ、第２枝流路に遊技球が入賞したことに起因して遊技者に有利な大当り遊技が実行され、第２種の遊技機（所謂、羽根もの）としての遊技を楽しむことができる。
【００２０】
請求項５の発明は、可動扉にて開閉されかつ通常は閉じられている特別入賞口と、予め定められた大当り遊技実行条件が成立すると、前記可動扉を所定ラウンド開放して前記特別入賞口に遊技球を入賞可能とする大当り遊技を行う大当り遊技実行手段とが備えられ、前記幹流路の上端部が前記特別入賞口をなし、前記大当り遊技実行手段は、前記可動扉が開いる間に前記振分部材を前記第１位置と前記第２位置とに切り替え、前記第２枝流路に遊技球が入賞したことに起因して前記大当り遊技終了後の遊技状態を通常の遊技状態よりも遊技者に有利な特典遊技状態に変更することを特徴とする請求項１乃至３の何れか１の請求項に記載の遊技機である。
【００２１】
この構成によれば、振分部材の位置に応じて特別入賞口に入賞した遊技球が第１枝流路と第２枝流路との何れかに入賞するかが切り替えられ、第２枝流路に遊技球が入賞した場合には、大当り遊技後に遊技機が特典遊技状態に変更されて遊技者に特典が付与される。
【図面の簡単な説明】
【００２２】
【図１】本発明の一実施形態に係るパチンコ遊技機の正面図
【図２】遊技板の正面図
【図３】入賞ユニットの斜視図
【図４】入賞ユニットの前方分解斜視図
【図５】入賞ユニットの後方分解斜視図
【図６】図３におけるＡ−Ａ断面図
【図７】入賞ユニットの一部の斜視図
【図８】入賞ユニットの一部の斜視図
【図９】入賞ユニットの断面図
【図１０】図９におけるＢ−Ｂ断面図
【図１１】振分部材が第１位置に配置された状態の断面図
【図１２】振分部材が第２位置に配置された状態の断面図
【図１３】振分部材の状態を示すタイムチャート
【図１４】変形例に係る幹流路等を示した正面図
【図１５】変形例に係る振分部材を示した正面図
【発明を実施するための形態】
【００２３】
［第１実施形態］
以下、本発明を適用したパチンコ遊技機１０（本発明の「遊技機」に相当する。）に係る一実施形態を、図１〜図１３に基づいて説明する。なお、以下の説明において、特記しない限り「右」及び「左」とは、パチンコ遊技機１０を前方から見た場合の「右」及び「左」を指すものとする。図１に示すように、パチンコ遊技機１０は、前面が前面枠１０Ｚにて覆われており、その前面枠１０Ｚに形成されたガラス窓１０Ｗを通して遊技板１１の遊技領域Ｒ１が視認可能になっている。
【００２４】
前面枠１０Ｚのうちガラス窓１０Ｗより下方には、上皿２６及び下皿２７が上下２段にして設けられ、下皿２７の右側には操作ノブ２８が設けられている。操作ノブ２８を回動操作すると、上皿２６に収容された遊技球が遊技領域Ｒ１に向けて弾き出される。
【００２５】
図２に示すように、遊技領域Ｒ１は全体が略円形状となっていて、ガイドレール１２により囲まれている。遊技板１１のうち遊技領域Ｒ１の中央には、遊技板表示窓１０Ｈが貫通形成され、この遊技板表示窓１０Ｈを通して、表示装置３０の表示画面３０Ｇが前方に臨んでいる。
【００２６】
遊技板表示窓１０Ｈの開口縁には、表示装飾枠２３が取り付けられている。表示装飾枠２３は、遊技板１１の前面側から遊技板表示窓１０Ｈに嵌め込まれて遊技板１１の前面から突出し、遊技領域Ｒ１を流下する遊技球が表示装飾枠２３の内側に進入することを規制している。
【００２７】
遊技領域Ｒ１のうち表示装飾枠２３の下方における左右方向の中央部には、センター始動入賞口１４Ａ，大入賞口１５及びアウト口１６が、上から順に並べて設けられている。大入賞口１５は、前方に開口した横長の開口部を有し、常にはその開口部が回動扉１５Ｔにて閉塞されている。また、センター始動入賞口１４Ａは、ポケット構造をなし、その上面の開口部に遊技球が入球すると当否判定が行われて、その当否判定結果が表示画面３０Ｇにて表示される。そして、当否判定結果が当りになると、複数ラウンドに亘って所定期間（例えば、１０秒）、回動扉１５Ｔが前方に倒れて大入賞口１５に遊技球が入賞可能となる大当り遊技が実行される。
【００２８】
表示装飾枠２３の左側には風車１９が設けられている。一方、表示装飾枠２３の右側には、始動ゲート１８とサイド始動入賞口１４Ｂとが上から順に設けられている。サイド始動入賞口１４Ｂは、前方に向けて開口していて、その下端部には前後方向にスライド可能な可動板１４Ｔが備えられている。また、可動板１４Ｔは、常にはサイド始動入賞口１４Ｂの開口縁より後方に位置している。始動ゲート１８は、遊技球が潜って通過可能な門形構造をなし、遊技球が始動ゲート１８を通過すると当否判定が行われ、その当否判定結果が当りになると、可動板１４Ｔが前方にスライドして、上方から流下する遊技球を受け止めてサイド始動入賞口１４Ｂへと案内する。また、サイド始動入賞口１４Ｂに遊技球が入賞すると、当否判定が行われ、その当否判定結果が大当りの場合には、前述の大当り遊技が実行され、当否判定結果が小当りの場合には、後述する特別入賞口１７を開放する。
【００２９】
表示装飾枠２３の右下には、遊技板１１の前面から突出した球受ブロック５０が備えられ、その球受ブロック５０の上面が転動路５１になっている。転動路５１は、遊技球１つ分の幅をなして左右方向に延びかつ左側に緩やかに下っている。そして、転動路５１は、表示装飾枠２３の右側の流下領域を流下してきた遊技球を受け止め、表示装飾枠２３の下方領域へと案内する。なお、表示装飾枠２３の下方領域には、転動路５１の終端部から斜め下方に複数の障害釘を並べてなる延長ガイド５２が備えられ、転動路５１を転動してきた遊技球が大入賞口１５に案内されるようになっている。
【００３０】
転動路５１における終端寄り位置には、転動路５１の一部を遊技球複数個分に亘って切り欠くことで特別入賞口１７が形成され、通常は可動扉１７Ｔにて閉塞されている。そして、前述したサイド始動入賞口１４Ｂへの遊技球の入賞に起因して行われる当否判定で小当りになると、後に詳説するように可動扉１７Ｔが開いて特別入賞口１７に遊技球が入賞可能になる小当り遊技が実行される。
【００３１】
なお、センター始動入賞口１４Ａ、サイド始動入賞口１４Ｂ、大入賞口１５，特別入賞口１７に遊技球が入球すると、所定数の賞球が上皿２６に払い出される。また、上記の何れにも入球しなかった遊技球は、遊技領域Ｒ１の下端に配置されたアウト口１６に取り込まれる。
【００３２】
さて、上記した始動ゲート１８、サイド始動入賞口１４Ｂ、球受ブロック５０は、図３に示した入賞ユニット２５の一部として備えられている。入賞ユニット２５は、全体が透明な樹脂で構成された支持ベース５３に複数の部品を組み付けてなる。支持ベース５３は、転動路５１を挟んで前後方向で対向するフロントプレート５４とバックプレート６０とを有している。そして、遊技板１１に貫通形成された図示しないユニット取付孔の開口縁にバックプレート６０の外縁部が前側から重ねられてビス留めされている。
【００３３】
フロントプレート５４及びバックプレート６０は、バックプレート６０の外縁部の一部が上記遊技板１１へのビス留め用のビス孔６０Ａを形成するためにフロントプレート５４より僅かに大きくなっていて、それ以外は、概ね同じ形状になっている。具体的には、フロントプレート５４及びバックプレート６０の上下方向の中間部を横切るように転動路５１が延びていて、フロントプレート５４及びバックプレート６０のうち転動路５１より上側部分は略Ｌ字形をなしている。そして、その略Ｌ字の縦辺部分の上端位置と上端寄り位置とに始動ゲート１８とサイド始動入賞口１４Ｂとが配置され、遊技球が、始動ゲート１８、サイド始動入賞口１４Ｂ及びそれらの近傍を流下する状態と、転動路５１上を転動する状態とを、フロントプレート５４を通して透視することができる。
【００３４】
一方、フロントプレート５４及びバックプレート６０のうち転動路５１より下側部分は、転動路５１に沿った直線部と、その直線部の右端部から前記ガイドレール１２（図２参照）の内側に隣接して湾曲しながら左下方に延びた曲線部と、曲線部の下端部と直線部の左端部との間で上下方向に延びかつ一部が屈曲した垂下部とに囲まれた形状をなして、球受ブロック５０の前面壁と後面壁とを構成している。
【００３５】
図４に示すように、支持ベース５３は、バックプレート６０の前面で分割され、図５に示すように、フロントプレート５４の後面から突出した後述のブロック側壁５６、脚部１８Ａ、支柱５４Ｃがバックプレート６０にビス留めされている。ブロック側壁５６は、球受ブロック５０の側壁であって、そのブロック側壁５６の一部が転動路５１を上面に有する転動支持壁５６Ａをなし、転動支持壁５６Ａの一部が切除されて特別入賞口１７が形成されている。
【００３６】
転動支持壁５６Ａのうちガイドレール１２に突き合わされる端部寄り位置からは、ブロック側壁５６Ｃが上方に立ち上がり途中でガイドレール１２側に屈曲している。そして、図３に示すように、ブロック側壁５６Ｃと転動支持壁５６Ａとに囲まれた部分に、フロントプレート５４の切り欠き部が備えられ、その切り欠き部の奥側に前記した複数のビス孔６０Ａのうちの１つが配置されている。
【００３７】
フロントプレート５４の後面上端部からは、始動ゲート１８の１対の脚部１８Ａ，１８Ａが横並びになって突出している。また、脚部１８Ａ，１８Ａの対向面には、支持溝１８Ｍ，１８Ｍが形成されて、図４に示した検出スイッチ１８Ｓの両側縁部が支持溝１８Ｍ，１８Ｍに支持されている。検出スイッチ１８Ｓは、偏平直方体状をなして、バックプレート６０に形成された矩形の貫通孔に後方から通されてバックプレート６０の前方に突出すると共に、遊技球が１つずつ通過可能な円形の検出孔１８Ｎを、上下に貫通した状態に備えている。これにより始動ゲート１８を通過した遊技球が検出される。なお、後述する検出スイッチ１７Ｓ，４３Ｓ，４４Ｓも全て検出スイッチ１８Ｓと同じ構造になっている。
【００３８】
フロントプレート５４のうち転動路５１の下流側端部の上方位置からは、半円形の支柱支持片５４Ｂが上方に突出し、その支柱支持片５４Ｂの円弧の中心部から後方に支柱５４Ｃが延びている。また、バックプレート６０にも支柱支持片６０Ｂが備えられ、その支柱支持片６０Ｂの円弧の中心部には支柱５４Ｃの先端部に締め付けるためのビスが通されるビス孔６０Ｃが形成されている。
【００３９】
フロントプレート５４のＬ字形状部分の内側角部には、例えば、正五角形の装飾孔５４Ａが貫通形成されている。これに対し、バックプレート６０における装飾孔５４Ａとの対向部分からは、図４に示すように、支柱６０Ｈが前方に突出していて、その支柱６０Ｈの先端部に正五角形の装飾ピース６２がビスにて固定され、その装飾ピース６２が図３に示すように装飾孔５４Ａに遊嵌されている。
【００４０】
図５に示すように、転動支持壁５６Ａのうち特別入賞口１７より転動路５１の上流側部分には、転動支持壁５６Ａの上面とフロントプレート５４の後面との間の角部に複数の三角リブ５６Ｂが備えられている。それらフロントプレート５４の後面のうち三角リブ５６Ｂより転動路５１の下流側には、転動路５１から遊技球の半径分だけ上方に離れた位置から複数の制動突起５４Ｔが突出している。また、図６に示すように、バックプレート６０の前面には、フロントプレート５４の複数の制動突起５４Ｔと千鳥配置になるように略三角形の制動突起６０Ｔが突出している。これら制動突起５４Ｔ，６０Ｔは、上方から見ると略三角形になっていて、一部の制動突起５４Ｔ，６０Ｔは特別入賞口１７の上方に位置している。そして、これら制動突起５４Ｔ，６０Ｔにより転動路５１における遊技球の転動速度が抑えられる。
【００４１】
図４に示すように、バックプレート６０には、特別入賞口１７に対応する部分に横長のスリット６０Ｓが形成され、そのスリット６０Ｓに可動扉１７Ｔが前後動可能に挿通されている。また、可動扉１７Ｔの前端縁は、図６に示すように、転動路５１の下流側に向かうに従ってフロントプレート５４から離れるように傾斜している。これにより、可動扉１７Ｔの閉鎖時の球噛みを抑制する効果を有している。そして、可動扉１７Ｔが前後の可動範囲における前端の閉位置に配置されると（図６に示した状態）、特別入賞口１７の長手方向の全範囲で遊技球が可動扉１７Ｔによって特別入賞口１７への入賞を規制される一方、可動扉１７Ｔが前後の可動範囲における後端の開位置に配置されると（図示せず）、特別入賞口１７の長手方向の全範囲で遊技球が入賞可能になる。
【００４２】
図５に示すように、フロントプレート５４の後面には、特別入賞口１７に入賞した遊技球を案内する流路側壁４０が備えられている。図９に示すように、流路側壁４０の一部は、転動支持壁５６Ａにおける特別入賞口１７の上流側開口縁から垂下してから転動路５１の下流側に向かって屈曲し、特別入賞口１７より遊技球１つ分だけ下方に離れた位置で転動路５１と同じ方向に緩やかに下るように延びた上側湾曲部４０Ａになっている。そして、流路側壁４０のうち転動支持壁５６Ａの下面における特別入賞口１７の下流側開口縁寄り位置から垂下した第１垂下壁４０Ｂと、上側湾曲部４０Ａの下流側端部から垂下された第２垂下壁４０Ｃとが遊技球１つ分の間隔を空けて対向している。また、第２垂下壁４０Ｃの上端部とそれと対向する第１垂下壁４０Ｂの中間部とには、段付き状に外側に膨らんだ支持溝４０Ｄ，４０Ｄが形成されて、検出スイッチ１７Ｓの両側縁部が支持されている。そして、特別入賞口１７に入賞した遊技球が、検出スイッチ１７Ｓの検出孔１７Ｍを１つずつ通過して入賞数がカウントされる。
【００４３】
第１垂下壁４０Ｂ及び第２垂下壁４０Ｃは、検出スイッチ１７Ｓの鉛直下方に平行に延び、特別入賞口１７から第１垂下壁４０Ｂと第２垂下壁４０Ｃとに挟まれた部分（検出スイッチ１７Ｓの検出孔１７Ｍも含む）迄の間が本発明に係る幹流路４１になっている。そして、幹流路４１の下端部が第１枝流路４３と第２枝流路４４とに分岐するように、第１垂下壁４０Ｂに連なる第１袋小路壁４５と、第２垂下壁４０Ｃに連なる第２袋小路壁４６とが流路側壁４０の下端部に備えられている。
【００４４】
詳細には、図１１に示すように、第１袋小路壁４５は、鉛直方向に対して左下がりとなる方向に平行に延び、遊技球１つ分の間隔を空けて対向した１対の直線部４５Ａ，４５Ｂの下端部間を半円状の湾曲部４５Ｃで接続した形状になっている。一方、第２袋小路壁４６は、遊技球を１．５〜２個、縦に並べて受容可能な縦長の長円部４６Ｃの上端部から左側部の中間位置との間に開口４６Ｄを設け、その開口４６Ｄの上側縁部と下側縁部とからそれぞれ左斜め上方に直線部４６Ａ，４６Ｂとを延びばした形状になっている。
【００４５】
また、直線部４６Ａの傾斜は、第１袋小路壁４５の傾斜より緩やかな勾配をなし、さらに、その直線部４６Ａより直線部４６Ｂの傾斜の方が緩やかな勾配になっていてる。また、第１垂下壁４０Ｂの下端部は、第２垂下壁４０Ｃの下端部より下方に位置している。そして、第１垂下壁４０Ｂの下端部に第１袋小路壁４５の上側の直線部４５Ａの上端部が接続される一方、第２垂下壁４０Ｃの下端部に第２袋小路壁４６の上側の直線部４６Ａが接続され、第１袋小路壁４５の下側の直線部４５Ｂの上端部と第２袋小路壁４６の下側の直線部４６Ｂの上端部とが、幹流路４１の幅方向の中心より僅かに第２袋小路壁４６寄り位置で接続されている。
【００４６】
第１袋小路壁４５の内側部分は上記した第１枝流路４３をなす一方、第２袋小路壁４６の内側部分は上記した第２枝流路４４をなしている。また、第１枝流路４３の奥部には、通常入賞口４３Ａがバックプレート６０に貫通形成される一方、第２枝流路４４の奥部には、特典入賞口（以下、単に「Ｖ入賞口４４Ａ」という）がバックプレート６０に貫通形成されている。また、第１袋小路壁４５における湾曲部４５Ｃの中央には、遊技球を通常入賞口４３Ａに案内するガイドリブ４５Ｌが備えられ、これと同様に第２袋小路壁４６における長円部４６Ｃの下端部中央にはガイドリブ４６Ｌが備えられている。さらに、図５に示すように、バックプレート６０の後側下端部には、通常入賞口４３Ａ、Ｖ入賞口４４Ａを通過した遊技球を下向きに案内する後部ダクト４３Ｄ，４４Ｄが横並びに備えられ、それら後部ダクト４３Ｄ，４４Ｄの内部には、バックプレート６０に形成された矩形の貫通孔に前方から通された検出スイッチ４３Ｓ，４４Ｓ（図４参照）が設けられている。そして、これら検出スイッチ４３Ｓ，４４Ｓにより、通常入賞口４３Ａ及びＶ入賞口４４Ａに入賞した遊技球の数がそれぞれカウントされる。
【００４７】
なお、図５に示すように、支持ベース５３のうちバックプレート６０の後面側は、後方ハウジング部５３Ｋになっていて、上記した後部ダクト４３Ｄ，４４Ｄは後方ハウジング部５３Ｋの一部として備えられ、後方ハウジング部５３Ｋの全体の後面より後方に突出している。また、後方ハウジング部５３Ｋの後面の一側縁部には、サイド始動入賞口１４Ｂに入賞した遊技球を下方に案内する後部ダクト１４Ｄが備えられている。また、その後部ダクト１４Ｄの上端部には、検出スイッチ１４Ｓが設けられ、これによりサイド始動入賞口１４Ｂへの入賞球の検出や入賞球の数をカウントをすることができる。さらに、後部ダクト１４Ｄの下端部は後部ダクト４４Ｄの側方に隣接配置されている。そして、後部ダクト１４Ｄ，４３Ｄ，４４Ｄから排出される遊技球が、遊技板１１の下方に備えられた図示しないダクトに取り込まれて、パチンコ遊技機１０が設置された遊技ホールの遊技球循環システムに送られる。
【００４８】
さて、図１１に示すように、第１袋小路壁４５と第２袋小路壁４６との接続部と第１垂下壁４０Ｂ及び第２垂下壁４０Ｃの下端部とに囲まれた部分は、幹流路４１、第１枝流路４３及び第２枝流路４４の共有エリア４２になっている。そして、共有エリア４２には、幹流路４１から進入した遊技球を、強制的に第１枝流路４３か第２枝流路４４の何れかに振り分けるために振分部材８０が備えられている。
【００４９】
詳細には、バックプレート６０には、振分部材８０用に共有エリア４２内に中心を有する円形の受容孔６０Ｕが形成されている。受容孔６０Ｕの直径は、幹流路４１の幅より僅かに大きくなっていて、受容孔６０Ｕの一部が共有エリア４２からはみ出して幹流路４１、第１枝流路４３及び第２枝流路４４に突入している。また、受容孔６０Ｕの中心は、幹流路４１の幅方向の中心より僅かに第２枝流路４４側にずれた配置になっている。
【００５０】
振分部材８０は、受容孔６０Ｕに回動可能に受容された回動ベース８１と、回動ベース８１の前端面から突出した振分突片８２とを有している。回動ベース８１の前端面は、バックプレート６０の前面（本発明に係る「共通流下面」に相当する）と略面一になっていて、その回動ベース８１の前端面のうち回動ベース８１の中心軸から離れた（オフセットした）位置に振分突片８２が配置されている。振分突片８２は遊技球１つ分の幅をなし、振分突片８２における回動ベース８１の中心軸側を向いた面は本発明に係る案内面８２Ａになっている。また、案内面８２Ａと回動ベース８１の前端面（本発明に係る「回動ベースの端面」に相当する）とが交差する角部には、複数の三角リブ８２Ｂが備えられ、これら三角リブ８２Ｂは、回動ベース８１の前端面と案内面８２Ａとに当接した遊技球と干渉しない高さになっている。即ち、三角リブ８２Ｂにて、遊技球の流下を妨げずに、振分突片８２が補強されている。そして、振分部材８０は回動ベース８１の中心軸を本発明に係る回動軸にして回動し、図１１に示すように振分突片８２が第２枝流路４４を閉塞して案内面８２Ａにて遊技球を第１枝流路４３に案内する第１位置と、図１２に示すように振分突片８２が第１枝流路４３を閉塞して案内面８２Ａにて遊技球を第２枝流路４４に案内する第２位置との間を移動する。
【００５１】
球受ブロック５０の前面には、流路側壁４０の内側領域と対向する部分を除いた略全体に、図３及び図４の網掛けのハッチングで示したように装飾図柄５４Ｚがペイントされている。本実施例では、特別入賞口１７に入賞した遊技球が幹流路４１から第１枝流路４３及び第２枝流路４４の何れかに入球したかを視認し易くするために特別入賞口１７から幹流路４１や幹流路４１から第１枝流路４３及び第２枝流路４４の部分の装飾図柄５４Ｚは少な目に構成されている。なお、流路側壁４０のうち検出スイッチ１７Ｓが配置された分部は、装飾図柄５４Ｚにて前方から覆われている。
【００５２】
また、図４に示すように、球受ブロック５０内のうち流路側壁４０の転動路５１の上流側の一側方には、バックプレート６０の前面に備えた電飾基板６４が収容されている。電飾基板６４は、支柱６４Ｈによりバックプレート６０の前面から前方に浮かせた状態に支持され、電飾基板６４の前面には、複数のＬＥＤ６４Ｌが実装されている。なお、電飾基板６４の一側縁部は、流路側壁４０のうち上側湾曲部４０Ａ、第２垂下壁４０Ｃ及び第２袋小路壁４６に対応した凹凸形状になっている。
【００５３】
バックプレート６０のうち電飾基板６４に前方から覆われた部分には貫通窓６３Ｄが形成され、その貫通窓６３Ｄ内には、図７に示したソレノイド７０Ｂ及びソレノイド７０Ｃがバックプレート６０の前後に跨がるように配置されている。一方のソレノイド７０Ｂは、可動扉１７Ｔの右側方に配置され、このソレノイド７０Ｂを駆動源にして可動扉１７Ｔが前述の開位置と閉位置との間で直動する。また、他方のソレノイド７０Ｃは、一方のソレノイド７０Ｂの左下方に配置され、このソレノイド７０Ｃを駆動源にして振分部材８０が前述の第１位置と第２位置との間で回動する。
【００５４】
具体的には、図８に示すように、ソレノイド７０Ｃの直動ロッド７０Ｒは、水平に延びて振分部材８０側に突出している。また、その直動ロッド７０Ｒの上方には前後方向に延びた回動軸を中心に回動する二股レバー８７が備えられ、二股レバー８７が有する第１レバー８７Ａの先端から前方に延びたエンボス８７Ｃ（図１０参照）が、直動ロッド７０Ｒの先端に固定された直動部材８９の摺動溝８９Ｍ（図１０参照）に受容されて、直動ロッド７０Ｒの直動が二股レバー８７の回動に変換される。また、支持ベース５３には、振分部材８０の左側方に、左上がりに傾斜した図示しない支持壁が備えられ、その支持壁にスライダ８６（図８参照）がスライド可能に支持されている。そして、二股レバー８７が有する第２レバー８７Ｂの先端の図示しない長孔に、スライダ８６の一側部に備えた図示しないエンボスが係合して、二股レバー８７の回動がスライダ８６の直動に変換される。また、図８に示すように、振分部材８０には、回動ベース８１の後方に回動レバー８３が備えられ、その回動レバー８３から後方に突出したエンボス８３Ａが、スライダ８６の一側部に備えた係合片８６Ａの長孔８６Ｂに係合して、スライダ８６の直動が振分部材８０の回動に変換さる。以上により、前述の如く、振分部材８０がソレノイド７０Ｃを駆動源にして第１位置と第２位置との間で回動する。
【００５５】
なお、バックプレート６０の裏側上端部には、サイド始動入賞口１４Ｂの可動板１４Ｔの駆動源であるソレノイド７０Ａが取り付けられている。
【００５６】
入賞ユニット２５の構造に関する説明は以上である。次に、入賞ユニット２５の動作について説明する。前述したようにサイド始動入賞口１４Ｂへの入賞に起因して行われる当否判定で大当りになると、複数ラウンドに亘って、所定期間、大入賞口１５が開放され、大入賞口１５に多くの遊技球が入賞可能となる大当り遊技が実行される。また、当否判定結果が小当りになると（即ち、本発明に係る「開放条件」が成立すると）、特別入賞口１７が所定期間（例えば、３秒が２回）に亘って開放され、特別入賞口１７に遊技球が入賞可能となる小当り遊技が実行される。そして、小当り遊技開始からの経過時間によって振分部材８０の位置が切り替えられる。具体的には、例えば、図１３に示したタイムチャートが予め設定されていて、小当り遊技中に複数回に亘って振分部材８０が第１位置と第２位置とに移動して、遊技球が通常入賞口４３Ａに入賞し得る状態と、Ｖ入賞口４４Ａに入賞し得る状態とに切り替えられる。また、振分部材８０によって遊技球がＶ入賞口４４Ａに案内される時間の方が通常入賞口４３Ａに案内される時間より短くなるようにタイムチャートが設定され、遊技球がＶ入賞口４４Ａに入賞する確率の方が、通常入賞口４３Ａに入賞する確率より小さくなっている。そして、小当り遊技中に遊技球がＶ入賞口４４Ａに入賞すると、大当り遊技が実行される。即ち、特別入賞口１７に入賞した遊技球が、振分部材８０により第１枝流路４３と第２枝流路４４にランダムに振り分けられ、Ｖ入賞口４４Ａに遊技球が入賞したことに起因して遊技者に有利な大当り遊技が実行されるという、第２種の遊技機（所謂、羽根もの）としての遊技を楽しむことができる。
【００５７】
なお、小当り遊技を実行しているときのパチンコ遊技機１０の内部に備えた図示しないＣＰＵが、本発明に係る「小当り遊技実行手段」に相当し、大当り遊技を実行しているときのＣＰＵが、本発明に係る「大当り遊技実行手段」に相当する。
【００５８】
本実施形態のパチンコ遊技機１０の構成に関する説明は以上である。次に、このパチンコ遊技機１０の作用効果について説明する。上記した小当り遊技が実行されると、可動扉１７Ｔが開いて特別入賞口１７に複数の遊技球が入賞すると共に、タイムチャートに応じて振分部材８０が第１位置と第２位置との間を回動する。その際、遊技球の自重や流下圧力を振分部材８０の振分突片８２で受けている状態で振分部材８０が第１位置と第２位置との間を回動する状況にもなり得る。
【００５９】
しかしながら、本実施形態の構成によれば、幹流路４１を流下する遊技球の自重及び流下圧力の方向と直交又は交差する方向に振分部材８０の案内面８２Ａが移動することになり、従来のように、遊技球の自重又は流下圧力に抗する方向に振分部材８０の案内面８２Ａを移動させなければならない状況が生じ難い。これにより、振分部材８０を安定して迅速に動作させることができる。また、従来のように振分部材８０が幹流路４１に向かって起立することがないので、振分部材８０の上流側近傍に検出スイッチ１７Ｓが備えられていても、従来のように振分部材８０で跳ね返った遊技球が検出スイッチ１７Ｓで誤って再度検出されるようなことがなくなる。
【００６０】
また、本実施形態のパチンコ遊技機１０では、振分部材８０の回動中心が幹流路４１の幅方向の中心より第２枝流路４４側にずれているので（図１１参照）、Ｖ入賞口４４Ａより入賞頻度が高い通常入賞口４３Ａに遊技球を案内するために振分部材８０を第１位置に配置したときには、第２位置に配置したときより振分部材８０の案内面８２Ａが、振分部材８０の幹流路４１の中心から遠くに離れる。これにより、振分部材８０が配置され得る第１位置と第２位置とのうち頻度が高い第１位置において振分部材８０の案内面８２Ａによって一部が構成される流路が広くなり、遊技球がよりスムーズに流下すると共に振分部材８０への負荷も軽減され、振分部材８０の耐久性が向上する。
【００６１】
さらには、本実施形態では、幹流路４１の下端部から第２枝流路４４の上端部に向かう屈曲角より幹流路４１の下端部から第１枝流路４３の上端部に向かう屈曲角の方がなだらかになっているので、使用頻度が高い第１枝流路４３側に遊技球が流下し易くなり、振分部材８０の耐久性が向上する。
【００６２】
なお、本実施形態では、振分部材８０のうち案内面８２Ａを有する振分突片８２を支持する回動ベース８１の前端面が、幹流路４１、第１枝流路４３及び第２枝流路４４の流下面（バックプレート６０の前面）と面一になっているので、遊技球の流下を妨げずに振分突片８２を回動ベース８１で支持することができる。
【００６３】
［第２実施形態］
本実施形態のパチンコ遊技機は、第１実施形態のパチンコ遊技機１０と同じ構造であって、入賞ユニット２５の可動部分の制御のみが異なる。即ち、本実施形態のパチンコ遊技機では、各始動入賞口１４Ａ，１４Ｂへの入賞に起因して行われる当否判定で当りの当否判定になると（即ち、本発明に係る「大当り遊技実行条件」が成立すると）、例えば、１６ラウンドの大当り遊技において、１〜１３ラウンド及び１５ラウンドは大入賞口１５が開放される一方、１４ラウンド及び１６ラウンドは特別入賞口１７が開放される大当り遊技が実行される。そして、大当り遊技が実行されて特別入賞口１７が開放される所定のラウンドが開始すると、そのラウンドの開始からの経過時間によって振分部材８０の位置が切り替えられる。
【００６４】
また、各始動入賞口１４Ａ，１４Ｂへの入賞に起因した当否判定の当りには、特典付き大当りと、通常大当り（つまり、特典無し大当り）とが設定されていて、それらがランダムに抽選される。そして、当否判定の当りが特典付き大当りになった場合には、上記した大当り遊技が実行中にＶ入賞口４４Ａに遊技球が入賞したことを条件にして、その大当り遊技後の遊技状態が遊技者に有利な特典遊技状態に切り替わる。具体的には、特典遊技状態になると、各始動入賞口１４Ａ，１４Ｂへの入賞に起因した当否判定で当りなる確率が通常時より高くなる（即ち、所謂、確変状態になる）。
【００６５】
なお、上記した特典遊技状態としては、確変状態以外に、例えば、各始動入賞口１４Ａ，１４Ｂの当否判定に要する時間が通常時より短い所謂、時短状態であってもよいし、時短状態と確変状態とを併せた時短確変状態であってもよい。
【００６６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６７】
（１）前記実施形態では、図１１に示すように第１枝流路４３と第２枝流路４４との両方が幹流路４１に対してそれぞれ屈曲した構成になっていたが、図１４に示すように幹流路４１Ｖに対して第２枝流路４４Ｖのみが屈曲し、幹流路４１Ｖのうち第２枝流路４４Ｖとの分岐部分より下流側の流路を第１枝流路４３Ｖとする構成であってもよい。
【００６８】
（２）前記実施形態では、本発明に係る振分部材８０を第１枝流路４３と第２枝流路４４との分岐部分に適用したが、遊技板１１に形成された他の流路の分岐部分や、パチンコ遊技機１０の内部に設けられた流路の分岐部分に本発明を適用してもよい。
【００６９】
（３）前記実施形態では、回動ベース８１が円形状になっていたが、回動する構成であれば半円形状や扇状であってもよい。また、受容孔６０Ｕにおいても半円形状や扇状であってもよい。
【００７０】
（４）前記実施形態では、振分突片８２が回動ベース８１の前端面に対して垂直に突出していたが、傾斜して突出した構成でもよい。
【００７１】
（５）前記実施形態では、案内面８２Ａが平坦な面になっていたが、図１５（Ａ）及び図１５（Ｂ）に示すように屈曲した案内面８２Ｖであってもよいし、湾曲した案内面８２Ｗであってもよい。
なお、前記実施形態を概念化すると、以下［１］〜［８］の発明となる。
［１］遊技球が流下する幹流路が第１枝流路と第２枝流路との二股に分岐し、その分岐位置に設けられた振分部材が、前記第１枝流路を開放しかつ前記第２枝流路を閉塞する第１位置と、前記第２枝流路を開放しかつ前記第１枝流路を閉塞する第２位置との間で回動して、前記幹流路を流下してきた遊技球を前記第１枝流路又は前記第２枝流路に振り分ける遊技機において、
前記振分部材は、前記第１位置と前記第２位置とで共通する案内面で遊技球を前記第１枝流路或いは前記第２枝流路の何れか一方に案内可能に回動することを特徴とする遊技機。
［１］の構成によれば、幹流路を流下する遊技球の自重及び流下圧力の方向と直交又は交差する方向に振分部材の案内面が移動することになり、従来のように、遊技球の自重又は流下圧力に抗する方向に振分部材の案内面を移動させなければならない状況が生じ難い。これにより、振分部材を安定して迅速に動作させることができる。また、従来のように振分部材が幹流路に向かって起立することがないので、振分部材の上流側近傍に検出スイッチを備えても、従来のように振分部材で跳ね返った遊技球が検出スイッチで誤って再度検出されることを抑制することが可能となる。
［２］前記幹流路、前記第１枝流路及び前記第２枝流路に亘って連続する平坦な共通流下面に受容孔が形成され、
前記振分部材には、前記受容孔に受容されかつ前記共通流下面と略面一の端面を有する回動ベースと、前記回動ベースの前記端面のうち前記振分部材の回動軸から離れた位置から突出しかつ前記回動軸側を向いた面が前記案内面になった振分突片とが備えられていることを特徴とする［１］に記載の遊技機。
［２］の構成によれば、回動ベースにて、遊技球の流下を妨げずに、振分突片（案内面）を支持することが可能となる。
［３］前記回動ベースの前記端面と前記振分突片の前記案内面との間を連絡する三角リブを設け、前記三角リブは、前記回動ベースの前記端面と前記振分突片の前記案内面とに当接した遊技球と干渉しない高さになっていることを特徴とする［２］に記載の遊技機。
［３］の構成によれば、三角リブにて、遊技球の流下を妨げずに、回動ベースと振分突片（案内面）との接続部分を補強することが可能となる。
［４］前記幹流路の少なくとも下端部と、前記第１枝流路及び前記第２枝流路の少なくとも上端部とは、遊技球が１つずつ通過可能な幅になっていることを特徴とする［１］乃至［３］の何れか１に記載の遊技機。
［４］の構成によれば、第１枝流路と第２枝流路との分岐位置における球詰まりを抑制することが可能となる。
［５］前記幹流路の下端部が鉛直方向に延び、
前記振分部材の回動軸は、前記幹流路の下端部における幅方向の中心線に対して前記第２枝流路側にずらして配置されていることを特徴とする［１］乃至［４］の何れか１に記載の遊技機。
［５］の構成によれば、第１枝流路と第２枝流路とのうちより多くの遊技球が第１枝流路に流入する場合、使用頻度が高い第１枝流路を開いたときの方が、使用頻度が低い第２枝流路を開いたときより振分部材の案内面が幹流路の中心から遠くに離れ、幹流路と第２枝流路とを連絡する部分が広くなる。これにより、使用頻度が高い第１枝流路を開いたときの方が振分部材への負荷が軽減されて、耐久性が向上する。
［６］前記幹流路の下端部から前記第２枝流路の上端部に向かう屈曲角より、前記幹流路の下端部から前記第１枝流路の上端部に向かう屈曲角の方がなだらかであることを特徴とする［１］乃至［５］の何れか１に記載の遊技機。
［６］の構成によっても、幹流路から流下する遊技球によって振分部材が受ける負荷は、第１枝流路を開いたときの方が、第２枝流路を開いたときより小さくなり、第１枝流路と第２枝流路とのうちより多くの遊技球が第１枝流路に流入する場合、振分部材の耐久性が向上する。
［７］可動扉にて開閉されかつ通常は閉じられている特別入賞口と、
予め定められた開放条件が成立すると、前記可動扉を開放して前記特別入賞口に遊技球を入賞可能とする小当り遊技を行う小当り遊技実行手段とが備えられ、
前記幹流路の上端部が前記特別入賞口をなし、
前記小当り遊技実行手段は、前記可動扉が開いる間に、予め定められたタイムチャートに基づいて前記振分部材を前記第１位置と前記第２位置とに切り替え、前記第２枝流路に遊技球が入賞したことに起因して遊技者に有利な大当り遊技を実行することを特徴とする［１］乃至［６］の何れか１に記載の遊技機。
［７］の構成によれば、タイムチャートによって第１位置と第２位置とに切り替えられる振分部材により、特別入賞口に入賞した遊技球が、第１枝流路と第２枝流路にランダムに振り分けられ、第２枝流路に遊技球が入賞したことに起因して遊技者に有利な大当り遊技が実行され、第２種の遊技機（所謂、羽根もの）としての遊技を楽しむことができる。
［８］可動扉にて開閉されかつ通常は閉じられている特別入賞口と、
予め定められた大当り遊技実行条件が成立すると、前記可動扉を所定ラウンド開放して前記特別入賞口に遊技球を入賞可能とする大当り遊技を行う大当り遊技実行手段とが備えられ、
前記幹流路の上端部が前記特別入賞口をなし、
前記大当り遊技実行手段は、前記可動扉が開いる間に前記振分部材を前記第１位置と前記第２位置とに切り替え、前記第２枝流路に遊技球が入賞したことに起因して前記大当り遊技終了後の遊技状態を通常の遊技状態よりも遊技者に有利な特典遊技状態に変更することを特徴とする［１］乃至［６］の何れか１に記載の遊技機。
［８］の構成によれば、振分部材の位置に応じて特別入賞口に入賞した遊技球が第１枝流路と第２枝流路との何れかに入賞するかが切り替えられ、第２枝流路に遊技球が入賞した場合には、大当り遊技後に遊技機が特典遊技状態に変更されて遊技者に特典が付与される。
【符号の説明】
【００７２】
１０    パチンコ遊技機
１７    特別入賞口
１７Ｔ    可動扉
２５    入賞ユニット
４０    流路側壁
４１，４１Ｖ    幹流路
４２    共有エリア
４３，４３Ｖ    第１枝流路
４４，４４Ｖ    第２枝流路
４５    第１袋小路壁
４６    第２袋小路壁
５０    球受ブロック
５３    支持ベース
５４    フロントプレート
６０    バックプレート
６０Ｕ    受容孔
８０    振分部材
８１    回動ベース
８２    振分突片
８２Ａ，８２Ｖ，８２Ｗ    案内面
８２Ｂ    三角リブ
【図１】
0006043927.tif 000002
【図２】
0006043927.tif 000003
【図３】
0006043927.tif 000004
【図４】
0006043927.tif 000005
【図５】
0006043927.tif 000006
【図６】
0006043927.tif 000007
【図７】
0006043927.tif 000008
【図８】
0006043927.tif 000009
【図９】
0006043927.tif 000010
【図１０】
0006043927.tif 000011
【図１１】
0006043927.tif 000012
【図１２】
0006043927.tif 000013
【図１３】
0006043927.tif 000014
【図１４】
0006043927.tif 000015
【図１５】
0006043927.tif 000016